Podtech/llm-jp-corpus-v4-ja_patent huggingface dataset:
(57)【要約】【課題】従来の技術では、ショーツ型及ぶガードル型では排尿が頻繁になる妊娠後期において妊婦帯の着脱が問題となる欠点があり、腹巻型はゴム繊維を使用するため腹部の圧迫を取り除くことができなかった。【解決手段】結合部２は、妊婦帯１の中央部から左右５乃至７センチメートルのそれぞれの位置にある、直径２センチメートル以内のほぽ半円形の突起状の結合部である。その結合部２は、下面に面状ファスナーが取り付けられており、骨盤固定帯４の中央部左右の該当する位置に面上ファスナーで結合させて使用するものである。【選択図】図１
2005060900.tif 000002
【特許請求の範囲】
【請求項１】
骨盤固定帯に結合する部分を備えた妊婦帯。
【請求項２】
恥骨の上縁部より３乃至７センチメートル上方であって、背骨の中心線の左右４乃至８センチメートルのそれぞれの体表部の位置に骨盤固定帯を結合する部分を備えた妊婦帯。
【発明の詳細な説明】
【技術分野】
【０００１】
本発明は、骨盤固定帯とともに使用する妊婦帯に関するものである。
【背景技術】
【０００２】
妊婦帯は日本特有のものであり、綿布の晒し布を下腹に巻くものであって、妊娠中後期における突出したお腹を下から支え、かつ骨盤の緩みから生じる腰痛等を緩和させるのが目的であった。そして現在は腹巻型及びショーツ型が普及している。
【０００３】
しかし、妊娠中毒症の原因の研究の中で、妊婦帯はお腹を締め付け、腹部大血管を圧迫するために、妊娠中毒症を引き起こす要因の一つではないかと指摘されてきた。このため、妊婦帯は腹部圧迫を弱めるためにゴム繊維の量を減らしたり、下腹部を支える部分がズレ上って腹部を圧迫しないようにショーツ型にしたり、ショーツ型の中に腰痛を軽減させるための骨盤の固定機能を取り入れるなどして、お腹を締め付けないように、またお腹を締め付けず腰痛を緩和できるように工夫されているのが現状である。
【特許文献１】登録実用新案第３０３７７７２号公報
【発明の開示】
【発明が解決しようとする課題】
【０００４】
従来の技術では、妊婦帯はゴム繊維を使用するため、腹部の圧迫を取り除くことができなかっただけでなく、ショーツ型では排尿が頻繁になる妊娠後期において妊婦帯の着脱が問題となる欠点があった。
【課題を解決するための手段】
【０００５】
そこで、上記の課題を解決するために、第一の発明は、骨盤固定帯に結合する部分を備えた妊婦帯である。
【０００６】
第二の発明は、恥骨の上縁部より３乃至７センチメートル上方であって、背骨の中心線の左右４乃至８センチメートルのそれぞれの体表部の位置に骨盤固定帯を結合する部分を備えた妊婦帯である。
【発明の効果】
【０００７】
本発明は、従来の妊婦帯の腰痛緩和とお腹を下から支えるという２つの機能を、骨盤固定帯と妊婦帯にそれぞれの機能を独立に分離させることにある。すなわち、妊婦帯に結合部分を備えることにより、骨盤固定帯では腰痛等を緩和させる効果を高め、妊婦帯ではゴム繊維を使用しないため、妊婦帯自身は妊娠中後期の突出したお腹を締め付けることなく、お腹の下から持ち上げることが可能となる。同時に骨盤固定帯と妊婦帯の上からショーツをつけることができ、これによってショーツの着脱が容易になり、妊娠生活を快適におくることができる利点がある。
【発明を実施するための最良の形態】
【０００８】
図１は、本発明の妊婦帯の使用状態図である。図２は、本発明の妊婦帯の平面図である。図３は、本発明の妊婦帯を骨盤固定帯に結合した平面図である。図５は、人体の脊柱、腹部大血管及び子宮との関連図である。図６は、人体の骨盤の説明図である。
【０００９】
図１は、図２の先端部３を巻きつけたときに形成された立体図であり、実際には骨盤固定帯４の人体の上方に位置するように巻きつけて使用されるものである。
【００１０】
結合部２は、妊婦帯１の中央部から左右５乃至７センチメートルのそれぞれの位置にある、直径２センチメートル以内のほぽ半円形の突起状の結合部である。その結合部２は、下面に面状ファスナーが取り付けられており、骨盤固定帯４の中央部左右の該当する位置に面上ファスナーで結合させて使用するものである。その妊婦帯１と骨盤固定帯４を結合させた状態が図４である。
【００１１】
この結合部２を骨盤固定帯４と結合させることによって、骨盤固定帯４では腰痛等を緩和させる効果を高め、妊婦帯１では妊娠中後期の突出したお腹を締め付けることなく、お腹の下から持ち上げることが可能となり、妊婦帯自身のズレ上がりを防止することができ、腹部の圧迫を防ぐことができる。
【００１２】
この結合部２によって結合された妊婦帯１と骨盤固定帯４は、骨盤固定帯４が恥骨８の上縁部の体表部を位置して固定されるため、骨盤固定帯４に結合された妊婦帯は、突出した腹部を下から支える形で図４のような形で使用される。このとき結合部２が恥骨の上縁部より３乃至７センチメートル上方に位置するように、妊婦帯１を締めつける。これは骨盤固定帯４を恥骨８の上縁部より５乃至６センチメートル上方の位置に締め付けることから決定されるものである。また結合部２が、背骨の中心線の左右４乃至８センチメートルのそれぞれの体表部に位置するように、妊婦帯１を締め付ける。これは腹部大血管７の圧迫を防ぐためと、結合する骨盤固定帯４とのバランスから決定されたものである。これらの以外の位置に結合部２を備えると、バランスと崩したり、腹部大血管７を圧迫させる可能性が高くなる。
【図面の簡単な説明】
【００１３】
【図１】妊婦帯の使用状態図である。
【図２】妊婦帯の平面図である。
【図３】妊婦帯を骨盤固定帯に結合した平面図である。
【図４】妊婦帯及び骨盤固定帯を妊婦に使用した使用状態側面図である。
【図５】人体の脊柱、腹部大血管及び子宮との関連図である。
【図６】人体の骨盤の説明図である。
【符号の説明】
【００１４】
１    妊婦帯
２    結合部
３    先端部
４    骨盤固定帯
５    妊娠子宮
６    脊柱
７    腹部大血管
８    恥骨
９    恥骨結合部
【図１】
2005060900.tif 000003
【図２】
2005060900.tif 000004
【図３】
2005060900.tif 000005
【図４】
2005060900.tif 000006
【図５】
2005060900.tif 000007
【図６】
2005060900.tif 000008
(57)【要約】【課題】  この発明は、靴下の開口部をつまむ力の弱い幼児などであっても、指が滑ることなくスムーズに引き上げることができる靴下を得ることを課題とするものである。【解決手段】  この発明は、靴下１の開口部に形成されたゴム編み部２において、指で摘むべきゴム編み部の両側中央部に肉厚部３を形成することにより、指が係止し、スムーズに靴下を引き上げることができるように構成するものである。前記肉厚部はその近傍と異なる色彩としておくと、子どもは摘む位置を容易に知ることができ、向きを間違えることもなく、スムーズに靴下を履くことができる。【選択図】  図１
2005060898.tif 000002
【特許請求の範囲】
【請求項１】
靴下の開口部に形成されたゴム編み部において、指で摘むべきゴム編み部の両側中央部に肉厚部を形成し、この肉厚部の下縁に指が係止し、スムーズに靴下を引き上げることができるようにした、靴下
【請求項２】
肉厚部はその近傍と異なる色彩とした、請求項１記載の靴下
【発明の詳細な説明】
【技術分野】
【０００１】
この発明は靴下に関するものであり、指で靴下をつかむ力の弱い子ども特に幼児や、大人であっても指の力が衰えた者であっても履きやすい靴下に関するものである。
【背景技術】
【０００２】
子ども、特に幼児その他指で靴下をつかむ力の弱い者が自分で靴下を履こうとする場合、指の力が弱いために指が滑って靴下をスムーズに引き上げることができないことがある。また、子どもは向きを間違えて履こうとすることもしばしば生じる。
しかしながら、従来の靴下においては、このような点に対する配慮はなされていない。
【発明の開示】
【発明が解決しようとする課題】
【０００３】
この発明は、靴下の開口部をつまむ力の弱い幼児などであっても、指が滑ることなくスムーズに引き上げることができる靴下を得ることを第１の課題とし、向きを間違えないようにすることを第２の課題とするものである。
【課題を解決するための手段】
【０００４】
この発明は、靴下の開口部に形成されたゴム編み部において、指で摘むべきゴム編み部の両側中央部に肉厚部を形成することにより、指が係止し、スムーズに靴下を引き上げることができるように構成するものである。前記肉厚部はその近傍と異なる色彩としておくと、子どもは摘む位置を容易に知ることができ、向きを間違えることもなく、スムーズに靴下を履くことができる。
【発明の効果】
【０００５】
この発明によれば、靴下を履くときに指で摘む部位を肉厚としてあるので、肉厚部の下端縁が指で摘んだときの係止部として機能することとなり、指で摘む力の弱い幼児であっても、滑ることなくスムーズに靴下を引き上げ、履くことができる。
また、請求項２の発明によれば、肉厚部をその近傍とは異なる色彩としてあるので、どこを摘めばよいかを容易に知ることができるので、正しい位置を摘んで、靴下を正しい位置に履くことができる。
【発明を実施するための最良の形態】
【０００６】
図において、靴下１の開口部にゴム編み部分２が帯状に形成してあり、このゴム編み部分２の左右両側の中央部、すなわち靴下を履くときに指で摘む位置、に肉厚部３が形成してある。
前記肉厚部３は、立体的に編むことにより形成してあり、肉厚部３位外のゴム編み部分２との厚さの差異は０，１〜０，２ミリ程度である。
また、前記肉厚部３はその近傍とは異なる色彩として、肉厚部３の位置が一目で理解できるようにしてある。更に、対向する肉厚部３の色彩を異なるものにすることが好ましい。
【０００７】
前記靴下１の踵部４及びつま先部両側５はＹ字状の縫合６としてゆとりを持たせて履きやすくしてある。また、つま先部下側には滑り止めのためにシリコ−ン素材７を散点状に付着させてある。
【０００８】
上記実施形態の靴下を幼児や子どもが自分で履く場合、肉厚部３は近傍とは異なる色彩となっているから、親は子どもに「何色（具体的な色彩を言う）の所を摘みなさい」と指導することにより、子どもは靴下を履くときの正しい位置を容易に知ることができ、指で摘むことができる。
【０００９】
このようにして子どもが正しい位置を摘むと、そこは肉厚となっており、段差が比較的大きい。そのために,肉厚部３の下縁が係止部として機能し、比較的小さな力であっても滑ることがない。したがって、スムーズに靴下を引き上げることができる。
その結果、子どもは自分の力で、靴下を正しく履くことができる。
【産業上の利用可能性】
【００１０】
この発明は、子ども特に幼児や大人であっても筋力が衰えて指で摘む力の弱い者にとって、履きやすく、着衣の自立を促すことのできるものであって、産業上利用できるものである。
【図面の簡単な説明】
【００１１】
【図１】この発明実施形態の側面図である。
【符号の説明】
【００１２】
１    靴下
２    ゴム編み部
３    肉厚部
４    踵部
５    つま先部
６    Ｙ字状の縫合
７    シリコーン素材
【図１】
2005060898.tif 000003
(57)【要約】【課題】帯締めを収納しているときに、帯締めの房が絡まったり捩れて曲がり癖が付かないようにすること。【解決手段】ばね性のある薄板の中央に外側へ二つ折りとなる折り曲げ部を設け、その折り曲げ部の一端から他端に向けて巻き込んで渦巻体となる帯締めの房カバーを形成する。【選択図】          図１
2005060853.tif 000002
【特許請求の範囲】
【請求項１】
ばね性のある薄板の中央に外側へ二つ折りとなる折り曲げ部を設け、その折り曲げ部の一端から他端に向けて巻き込むことによって渦巻き状の筒体となる渦巻体を形成したことを特徴とする帯締めの房カバー。
【発明の詳細な説明】
【０００１】
【発明の属する技術分野】
この発明は、着物の帯締めに設けている房が収納中に絡まったり捩れて曲がり癖が付いたりすることを防ぐ帯締めの房カバーに関するものである。
【０００２】
【従来の技術】
従来、帯締めの房を纏めて束ねるものとしては和紙で包むこともあったが、その手間が掛かるものであり、同じ和紙を長く使い続けることが困難であった。
そこで、可撓性の薄板を巻き込んで筒状とした渦巻体が考えられた。（例えば特許文献１参照）。
【０００３】
【特許文献１】
特開２００１−１１７２０号公報
【０００４】
【発明が解決しようとする課題】
従来、特開２００１−１１７２０号の帯締めの房しつけ具である可撓性の薄板を巻き込んで渦巻き状の筒体とした渦巻体の外側になる端縁を指先に掛け、他方の指先で筒体を回転させるようにして渦巻体を平板状に広げるものであった。
この平板状に広げた渦巻体は、左右の指先で摘んでいないと渦巻き状の筒体に戻るものであるから、広げた渦巻体を片手に載せて置くことが出来ず、置いてある帯締めの上から被せるようにするなどして装着させるものであった。
したがって、広げた渦巻体は片手で持ち難く、装着し易いものではない問題点があった。
【０００５】
【課題を解決するための手段】
本発明は、ばね性のある薄板による渦巻体１を指先で広げたものに、その中央部分に設けた折の曲げ部２によって外側へ二つ折りにすることで、折り曲げ部２が山折りの山脈になって巻き戻りを止める巻き戻り手段を設けることとしているものである。
したがって、広げた指先を渦巻体１から放しても、元に巻き戻ることがなくなるものである。
【０００６】
このように、広げた渦巻体１が巻き戻らないことにより、手の平の上に置くことが出来、他方の手で帯締め３を持って開いた渦巻体１の上に載せることによって装着ができ、帯締め３から房４の上に寄せれば房４をカバーすることになる。
また、開いた渦巻体１を直接房４に装着することも可能なものとしている。
【０００７】
【発明の実施の形態】
本発明に係わる実施の形態の一つとしては、渦巻体１とする巻き込む以前の平板状態とした図１に示すように、長方形でばね性のある薄板の中央部分に巻き込み方向と同じ方向の折り曲げ部２を設けたものとしている。
このばね性のある薄板としては、金属やプラスチック類等が考えられるが、カバーする相手が繊維質のものであるから、プラスチック類のポリプロピレンが適材と考えられる。
【０００８】
この薄板は対向辺の一側辺５から他側辺６に向けて筒状に巻き込み、図２に示す渦巻体１を形成てるものである。
渦巻体１への巻き込みは、一側辺５からの逆となる他側辺６からの巻き込みであっても差し支えがないものである。
【０００９】
この渦巻体１を帯締め３の房４に装着するときには、渦巻体１の外側に出ている側辺５，６に指先を掛けて筒状の渦巻体１をまわすようにして平板状に広げ、その広げた薄板を折り曲げ部２によって外側に折り曲げる。
すると、折り曲げ部２を山脈状にして図３に示すように、両側辺５，６がくの字になるので巻き戻ろうとする力が山脈によって止められることになり、広げた渦巻体１は開いた状態を保つことになる。
【００１０】
この開いた渦巻体１の上に帯締め３を載せて折り曲げ部２の山脈を上から下へと押し付けると、図４に示すように、渦巻体１のばね性によって帯締め３を抱えて巻き込むことになる。
この帯締め３に巻き付いた渦巻体１を房４側に移動させることで、図５に示すように、房カバーとなるものである。
この帯締め３を抱え込んだ渦巻体１の巻き込み状態が悪ければ、手で渦巻体１を回転させることなので容易に調整が出来るものである。
【００１１】
この渦巻体１を形成する薄板の形状としては、四辺形の正方形より長方形のものが巻き込みによる重なり部分が多くなって、房４の太さが異なるものに対応することが出来、安定性があるものである。
四辺形の他には、楕円形、菱形、平行四辺形、三角形などが考えられるが、中央部分に設ける折り曲げ部２の左右が対象になる形状のものが使用し易いものである。
【００１２】
折り曲げ部２の一端から他端に向けて巻き込むことによって渦巻き状の筒体となる渦巻体１において、巻き込み方向とは直交しない位置に折り曲げ部２を設ける渦巻体１を考えることができる。
このような考えは、巻き込み方向と折り曲げ部２の山脈方向とが同じ方向とならない長方形や平行四辺形等の対角線となる図６に示す位置に、折り曲げ部２を設けると言う考えである。
この渦巻体１を広げて折り曲げ部２によって外側に折り曲げたものは、図７に示すように、広がりが狭いものとなって使い易いものとはならない。
【００１３】
折り曲げ部２の形態としては、肉薄状態の折り曲げ部２でその折り曲げ部２の両端を肉薄状態にしないで少々残した状態の折り曲げ部２が考えられ、折り曲げ部２の両端までを肉薄状態にすることは当然考えられるものである。
また、図８に示すものは、肉薄状態の折り曲げ部２を切り溝７にして、その両体に小穴を設けて折り曲げ部２を形成したものである。
以上のような折り曲げ部２は、複数設けることが出来るものである。
【００１４】
【発明の効果】
本発明に係わる帯締めの房カバーの渦巻体１を広げて外側に折り曲げた渦巻体１は、広げた状態で手の平の上に載せることが出来る。
したがって、帯締め３を、広げた渦巻体１の上に押し当てることで、渦巻体１を帯締め３に巻き付けることが出来、房４側に移動させるこさで房４をカバーすることが容易に出来るものである。
【図面の簡単な説明】
【図１】この発明の渦巻体を広げている状態を示す斜視図である。
【図２】この発明の渦巻体を示す斜視図である。
【図３】渦巻体を広げて折り曲げ部によって折り曲げた状態を示す斜視図である。
【図４】帯締めに渦巻体を装着した状態を示す平面図である。
【図５】帯締めの房に渦巻体を装着した状態を示す平面図である。
【図６】折り曲げ部を対角線の位置に設けた渦巻体を示す斜視図である。
【図７】対角線の折り曲げ部を折り曲げた状態を示す斜視図である。
【図８】折り曲げ部を切り溝で形成した渦巻体の広げた状態を示す平面図である。
【符号の説明】
１  渦巻体
２  折り曲げ部
３  帯締め
４  房
５  一側辺
６  他側辺
７  切り溝
【図１】
2005060853.tif 000003
【図２】
2005060853.tif 000004
【図３】
2005060853.tif 000005
【図４】
2005060853.tif 000006
【図５】
2005060853.tif 000007
【図６】
2005060853.tif 000008
【図７】
2005060853.tif 000009
【図８】
2005060853.tif 000010
(57)【要約】【課題】  土木構造物に用いられている鋼材は年月を経ることにより発錆などの局部的腐食が生じる。【解決手段】  鋼材の腐食による欠損個所に亜鉛ペーストを充填し、その上から亜鉛箔を貼り付けて遮蔽する。好ましくは、更にその上にガス抜き穴を削孔した保護層を設ける。保護層は好ましくはマグネットシート又は光硬化型樹脂シートから選ばれる。この手段は従来の被覆するのみの方法と異なり、充填材、及び被覆材に犠牲陽極作用をもつ材料を選定したことから、被覆作用、犠牲防食作用の複合的な効果を有する。【選択図】    図２
2005060803.tif 000002
【特許請求の範囲】
【請求項１】
鋼材の腐食による欠損個所に亜鉛ペーストを充填し、その上から亜鉛箔を貼り付けて遮蔽することを特徴とする鋼材の防食方法。
【請求項２】
鋼材の腐食による欠損個所に亜鉛ペーストを充填し、その上から亜鉛箔を貼り付けて遮蔽するとともに更にその上にガス抜き穴を削孔した保護層を設けることを特徴とする鋼材の防食方法。
【請求項３】
保護層は、マグネットシート又は光硬化型樹脂シートからなることを特徴とする請求項１又は請求項２に記載の鋼材の防食方法。
【発明の詳細な説明】
【技術分野】
【０００１】
土木構造物に用いられている鋼材の防食方法に関する。
【背景技術】
【０００２】
土木構造物に用いられている鋼材は、その立地環境に応じた防食処理、例えばメッキや防食塗装等を施し、腐食因子を防止する方法で防食対策が施されている。
【０００３】
鋼材の防食方法としては、表面被覆、表面改質、電気防食、耐食性鋼材の採用が挙げられる。現在では、金属又は非金属の材料で鋼材表面を被覆する方法が用いられている。
【０００４】
しかしながら、地際近傍での雨水による乾湿の繰り返しや、海岸地域、雪国等の海塩粒子付着や凍結防止剤等による腐食進行もあり、経年変化による防食処理済み部分の腐食も現状として少なくない状況である。
【非特許文献１】塗装便覧
【発明の開示】
【発明が解決しようとする課題】
【０００５】
そこで、本発明では、経年変化等により生じた鋼材の局部的な腐食に対応することを目的とする。
【課題を解決するための手段】
【０００６】
本発明に係る鋼材の防食方法は、基本的には、鋼材の腐食による欠損個所に亜鉛ペーストを充填し、その上から亜鉛箔を貼り付けて遮蔽することを特徴とする。これは、従来の被覆するのみの方法と異なり、充填材、及び被覆材に犠牲陽極作用をもつ材料を選定したことから、被覆作用、犠牲防食作用の複合的な効果を有する。
【０００７】
好ましくは、鋼材の腐食による欠損個所に亜鉛ペーストを充填し、その上から亜鉛箔を貼り付けて遮蔽するとともに更にその上にガス抜き穴を削孔した保護層を設けることを特徴とする。
【０００８】
上記の保護層は、好ましくはマグネットシート又は光硬化型樹脂シートからなることを特徴とする。
【発明の効果】
【０００９】
請求項１乃至請求項３において、腐食による欠損個所に亜鉛ペーストを充填し、その上から亜鉛箔を貼り付けて、鋼材に対する遮蔽構造としたので、鋼材の腐食因子である水や酸素の供給を絶ち防食効果をより確実にする。また、水の浸入があっても亜鉛の犠牲陽極作用による電気化学的防食効果を有する。
【００１０】
請求項２において、亜鉛箔の上に保護層を設けたので、亜鉛箔の経年による剥離からの保護をすることができるとともに、保護層にガス抜き穴を形成したので、亜鉛の自己腐食時に発生するガスを外部に逃がすことができる。
【００１１】
請求項３において、保護層をマグネットシート又は光硬化型樹脂シートを使用したので、施工が容易である。
【発明を実施するための最良の形態】
【００１２】
本発明の実施をするための最良の形態を図面に基き説明する。
【実施例１】
【００１３】
図１は、鋼材の腐食個所を示す断面図、図２は、腐食個所に防食を施した一例を示す断面図、図３は、図２の平面図である。
【００１４】
図１において、コンクリート構造物１２に貼着されている鋼板である鋼材１１に錆１３による腐食が始まっている。この腐食に対して、図２、図３に示す防食方法が実施される。
【００１５】
まず、錆１３を除去し、除去した個所に亜鉛ペースト１を充填する。その上からテープ状又はシート状の亜鉛箔２を貼り付けて、該個所を遮蔽する。更にその上に保護層３を重ねて貼付する。保護層３は表面から裏面を貫通するガス抜き穴４、例えば１〜２ｍｍ程度の径の小孔を多数削孔してある。保護層３は、亜鉛箔の経年による剥離に対して施工が簡易的なマグネットシート又は光硬化型の樹脂シートが用いられる。
【産業上の利用可能性】
【００１６】
本発明は、鋼道路橋等の局部的な発錆に対しての防食方法として広く利用することができる。
【図面の簡単な説明】
【００１７】
【図１】鋼材の腐食個所を示す断面図である。
【図２】腐食個所に防食を施した一例を示す断面図である。
【図３】図２の平面図である。
【符号の説明】
【００１８】
１  亜鉛ペースト
２  亜鉛箔
３  保護層
４  ガス抜き穴
１１  鋼材
１２  コンクリート構造物
１３  錆
【図１】
2005060803.tif 000003
【図２】
2005060803.tif 000004
【図３】
2005060803.tif 000005
(57)【要約】【課題】金コロイドは、退色しない赤色系の色を得るという目的で検討されてきたが、問題となるのはコロイドの安定性であり、たいていの場合コロイドの保護剤もしくは安定化剤を必要とし、耐光性に優れているものの、コロイドとしての安定性が原因で液体の状態では色の変化や沈降が発生しやすい。それを防止するための安定化剤としては強い乳化剤を用いることが多く、そのために色素としての用途が限られてしまう恐れがあった【解決手段】塩化金酸とキトサンを加温しながら一定時間混合攪拌し、その後還元剤を使用するという方法により、極めて簡易な方法で鮮やかな微紅色から赤紫色のコロイド溶液を得ることができる。本発明は、極めて強い耐光性を持つ明るい赤色系が簡易な方法で得られる。そしてその応用範囲は化粧品原料として有望であるのみならず、界面活性剤を使用しないことから、安全性も高くなっており、様々な応用が考えられるものである。【特許請求の範囲】
【請求項１】
キトサンをコロイドの保護剤に用いることを特徴とする貴金属コロイドの製造方法
【請求項２】
貴金属が金であるような請求項１の貴金属コロイドの製造方法
【請求項３】
使用するキトサンの濃度が０．０１〜５．０重量％であるような請求項１の貴金属コロイドの製造方法
【発明の詳細な説明】
【技術分野】
【０００１】  本発明は、退色しにくい赤色系の色素としての安定な金コロイドの製造法に関する。
【背景技術】
【０００２】  退色しにくい金コロイド溶液の特許として第２８３４４００号がある。これは、クエン酸塩やアスコルビン酸塩等による金の還元の前後に非イオン界面活性剤及びエタノールを加えてコロイドを安定化させるものである。また貴金属のコロイド、特に白金コロイドの調整法については、特開平１０−６８００８号と特開平１０−１７６２０７号がある。これは、エタノールと非イオン界面活性剤の存在下で炭酸水素ナトリウムを添加することにより白金コロイドを調整する方法である。白金の場合は黒色のコロイドとなるが、白金族の他の元素のコロイド調整にもこの方法が応用できるとされている。
【特許文献１】特許  ２８３４４００号  公報
【特許文献２】特開  平１０−６８００８号  公報
【特許文献３】特開  平１０−１７６２０７号  公報
【発明の開示】
【発明が解決しようとする課題】
【０００３】  貴金属のコロイドにはその金属の種類や粒子の大きさによって、触媒として使用される他に、変色しにくい色素としての使用法もある。白金等のコロイドが高活性の触媒としての使用を目的として製造方法等を検討されることが多いのに対して、金コロイド等は、退色しない赤色系の色を得るという目的でも検討されてきた。【０００４】  これらのコロイドは、主にその粒子径等によって安定性や触媒活性が変化する。触媒活性は粒子の表面積に比例する場合が多いので、高活性触媒を作るためには製造方法を工夫してできるだけ細かい粒子にし、全体としての表面積を多くするという方向での調製が多い。しかし、触媒活性が高いということは反応性が高いということであり、そのままの状態では安定性に欠ける場合が多く、コロイドの保護剤もしくは安定化剤を必要とする。色を出す場合でも問題となるのはコロイドの安定性であり、たいていの場合コロイドの保護剤もしくは安定化剤を必要とする。【０００５】  赤色系の色を出す金コロイドも、一般的には耐光性に優れているものの、コロイドとしての安定性が原因で液体の状態では色の変化や沈降が発生しやすい。それを防止するための安定化剤としては強い乳化剤を用いることが多く、そのために色素としての用途が限られてしまう恐れがあった
【課題を解決するための手段】
【０００６】  コロイドの保護剤に界面活性剤を使用することなく安定なコロイドを製造できる簡易な方法について鋭意研究を重ねた結果、本発明を完成した。すなわち、塩化金酸とキトサンを加温しながら一定時間混合攪拌し、その後還元剤を使用するという方法である。【０００７】  本発明に用いられる塩化金酸の濃度は０．０１ｍＭ〜１０ｍＭ好ましくは０．２〜２０ｍＭの濃度である。キトサンは反応溶液中の濃度が０．０１〜５．０重量％であるのが好ましく、更に好ましくは０．５〜２．５重量％である。使用するキトサンは、キチンの脱アセチル化度が５０〜１００％で分子量は２００万以下のものが好ましい。【０００８】  この貴金属塩化物とキトサンを精製水中で混合攪拌しながら７０〜８０℃になるように加温し、その後還元剤を加える。還元剤としては、水素化ホウ素ナトリウム、ヒドラジン等一般的な還元剤を使用することができる。そしてその反応溶液中の濃度は貴金属塩化物の同モル濃度〜数十倍量使用するのが好ましい。【０００９】  以上により、極めて簡易な方法で鮮やかな紅色のコロイド溶液を得ることができる。キトサンの量を変えることにより微紅色から赤紫色まで色の異なる金コロイド溶液を得ることもできる。なお、還元剤もその種類によってはアルカリ性を示すものもあるが、アルカリ性でゲル化するキトサンの性質上、還元剤の添加後もｐＨが酸性になるようにｐＨ調整をしておくことで、濁りのない透明な色を得ることができる。
【発明の効果】
【００１０】  本発明は、耐光性を持つ明るい赤色系の色素が簡易な方法で得られる。それは、強い界面活性剤を使用する必要が無いために、人体に対する安全性も高いので、化粧品原料をはじめとして応用範囲も広い。透析等による通常の精製操作を行うことにより、経口で使用する形にすることも可能である。
【発明を実施するための最良の形態】
【実施例】
【００１１】  精製水５００ｍＬにキトサン０．５ｇを攪拌溶解した。別に精製水１００ｍＬに塩化金酸８２．３６ｍｇを溶解してからキトサン液に添加し、精製水を加えて全量を９５０ｍＬにした。この液を攪拌しながら加温し、７０℃で３０分間攪拌後、加熱を終了し水素化ホウ素ナトリウム０．７５６６ｇ／Ｌを５０ｍＬ添加、引き続き攪拌することにより、微紅色の金コロイド液が得られた。図１は、この金コロイド液の電子顕微鏡写真である。【００１２】  精製水５００ｍＬにキトサン１ｇを攪拌溶解した。別に精製水１００ｍＬに塩化金酸８２．３６ｍｇを溶解してからキトサン液に添加し、精製水を加えて全量を９５０ｍＬにした。この液を攪拌しながら加温し、７０℃で３０分間攪拌後、加熱を終了し水素化ホウ素ナトリウム０．７５６６ｇ／Ｌを５０ｍＬ添加、引き続き攪拌することにより、紅色の金コロイド液が得られた。【００１３】  精製水５００ｍＬにキトサン５ｇを攪拌溶解した。別に精製水１００ｍＬに塩化金酸８２．３６ｍｇを溶解してからキトサン液に添加し、精製水を加えて全量を９５０ｍＬにした。この液を攪拌しながら加温し、７０℃で３０分間攪拌後、加熱を終了し水素化ホウ素ナトリウム０．７５６６ｇ／Ｌを５０ｍＬ添加、引き続き攪拌することにより、赤紫色の金コロイド液が得られた。
【図面の簡単な説明】
【００１４】
【図１】金コロイド液の電子顕微鏡写真（×５０，０００）
【図１】
2005060815.tif 000002
(57)【要約】      （修正有）【課題】男子小用時に便器以外に小水を飛散させないこと。【解決手段】カバーを局所にあてがい雨樋のごとく小水を便器に誘導し、便器周辺および下半身に小水が飛散しないようにすること。小水が勢いが弱く下方に向かう場合は局部の下側に持ち。勢いが強く上方に向かう場合は下を向けて上側に持ち小水を誘導する。材質は水溶性の紙を重ねて使用中形状を維持できるようにし、手の当たる分は毛細現象による手の汚れを防止するため紙の表面をコーテングする。使用後は共用便器においてはそのまま便器に流し、男子用の場合は備え付けの紙入れ等に収容するものとする。又、旅行中など我慢のできない状態においてビニール袋に誘導することも容易になる。便所に備え付けもできるし又携帯用にすることも可能である。 【選択図】図１
2005060997.tif 000002
【特許請求の範囲】
【請求項１】
男子小用時に放尿を誘導して自己を含む周辺に飛散を防止して目的を達成する使い
捨て水溶性小水飛散防止カバー。
【発明の詳細な説明】
【技術分野】
【０００１】
本発明は、男子小用時に放尿の軌道を制御し自己を含む周辺に小水を飛散させない
ように発明品を局部に手であてがい使用するものである。
【背景技術】
【０００２】
従来は小用時に局部に手で押さえることで用を足していたが、その結果小水が思わぬ
方向に飛んで便器周辺、本人の下半身を汚す状況を見かけた。
【０００３】
その原因は放尿状態が一定ではなく複数のラインのとき，勢いの強いとき、弱いとき、
方向が上向きのとき、下向きのとき、左向きのとき、右向きのときがあり、又終了
間際に残尿が出ることなどが考えられる。
【０００４】
これらの改善策として小用前に発明品を手で局部にあてがい小水を便器に誘導する
するものである。使用後は水に溶け使い捨てできるものである。
【特許文献１】なし
【発明の開示】
【発明が解決しようとする課題】
【０００５】
解決しようとする問題点は、便器周辺、および自己の下半身に小水を付着をさせない。
【課題を解決するための手段】
【０００６】
本発明は、小水の軌道を制御して便器内に収まるように雨樋のごとく誘導すること。
【発明の効果】
【０００７】
本発明の使用により便器周辺、およびズボンに汚れが付着しない。
【図面の簡単な説明】
【０００８】
【図１】男女共用便器に向かい発明品を使い小用をしている状況。
【図２】発明品の形状の姿図、立面図。
【図１】
2005060997.tif 000003
【図２】
2005060997.tif 000004
(57)【要約】【課題】  ワイシャツ等の襟の内側に貼って、汗を吸い取り、不要になったら剥がすことが可能な、吸汗シートに関するものである。【解決手段】帯状の紙や綿等でできた吸汗シート（１）の裏に、吸収した汗が染み出さないようにビニールの台紙（２）を貼り、更に、そのビニール台紙の裏に、ワイシャツ等の襟の内側に固定するための、着脱が容易なのりを塗る。【選択図】  図２
2005060910.tif 000002
【特許請求の範囲】
【請求項１】
帯状の紙や綿等でできた吸汗シート（１）の裏に、吸収した汗が染み出さないようにビニールの台紙（２）を貼り、更に、そのビニール台紙の裏に、ワイシャツ等の襟の内側に固定するための、着脱が容易なのりを塗ったシート。
【発明の詳細な説明】
【発明の詳細な説明】
【技術分野】
【０００１】この発明は、ワイシャツ等の襟の内側に貼って、汗を吸い取り、不要になったら剥がすことが可能な、吸汗シートに関するものである。
【背景技術】
【０００２】従来は、ハンカチ等で汗を拭うか、ハンカチ等を首に巻きつけて対応していた。
【発明が解決しようとする課題】
【０００３】これは、次のような欠点があった。
ハンカチ等で汗を拭うのが手間で、又、ハンカチ等が汚れてしまう。
【課題を解決するための手段】
【０００４】帯状の紙や綿等でできた吸汗シート（１）の裏に、吸収した汗が染み出さないようにビニールの台紙（２）を貼り、更に、そのビニール台紙の裏に、ワイシャツ等の襟の内側に固定するための、着脱が容易なのりを塗る。本発明は、以上のような構成からなる着脱が容易な汗を吸収し、襟を汚さないようにするための吸汗シートに関するものである。
【発明を実施するための最良の形態】
【０００５】以下、本発明の実施の形態について説明する。
（イ）帯状の紙や綿等でできた吸汗シート（１）の裏に、吸収した汗が染み出さないようにビニールの台紙（２）を貼り、更に、そのビニール台紙の裏に、ワイシャツ等の襟の内側に固定するための、着脱が容易なのりを塗る。
（ロ）この吸汗シートを襟の形に折り曲げ、ビニール台紙（２）の裏に塗ってある着脱容易なのりを使って、ワイシャツ等の襟の内側に貼る。
（ハ）汗を吸い取ったらワイシャツ等の襟から剥がす。
【発明の効果】
【０００６】（イ）ハンカチ等で汗を拭う手間が省ける。
（ロ）ワイシャツ等の襟を汚さない。
（ハ）着脱が容易でいつでも剥がせる。
【図面の簡単な説明】
【図１】  吸汗シート（１）及びビニール台紙（２）の正面図である。
【図２】  使用する時の正面図である。
【符号の説明】
１  吸汗シート
２  ビニール台紙
３  のり
【図１】
2005060910.tif 000003
【図２】
2005060910.tif 000004
(57)【要約】【課題】  ゴム手袋着用時のぶかつきを解消する。【解決手段】  ゴム手袋着用時のぶかつきを解消するために、掌部分に、ゴム製のバンドを装着する。【選択図】  図１
2005060913.tif 000002
【特許請求の範囲】
【請求項１】
ゴム手袋着用時に、中指の付け根（図１のＡ部）、もしくは指全部（図２の２Ａ部）に、ビニールまたは防水加工を施した布でカバーされたゴム製バンド（以下ゴムという）をくぐらせる。
【請求項２】
ゴム手袋着用時に、手首部（図１のＢ部，図２の２Ｂ部）に、ゴムの輪をくぐらせる。
【請求項３】
両部分（図１のＡ−Ｂ部，図２の２Ａ−２Ｂ部）を、ゴムでつなぎ合わせる。（図１のＣ部，図２の２Ｃ部）
【発明の詳細な説明】
【技術分野】
【０００１】  本発明は、ゴム手袋着用時のぶかつきを解消し、かつ、作業効率を上げることを目的としたゴム手袋専用ゴムバンドである。
【背景技術】
【０００２】  従来の（締め付けを有するゴム手袋）の場合、開口部に締め付け具を施したものがある。（例えば特許文献１）
また、完全密着型のビニール製手袋（例えば手術用手袋）がある。
【特許文献１】  （特開平１０−０６０７１３）
【発明の開示】
【発明が解決しようとする課題】
【０００３】  従来の（締め付けを有するゴム手袋）の場合、多くは開口部に締め付け具を施している。しかし、掌部（図１，図２のＨ部）の密着性が不十分であった。また、完全密着型のビニール製手袋（例えば手術用手袋）の場合、素手の作業と同様の使用感をもたらすが、使用中に手袋の内部が汗で蒸れて不快だった。
【課題を解決するための手段】
【０００４】  ゴム手袋着用時に、中指の付け根（図１のＡ部）、もしくは指全部の付け根部（図２の２Ａ部）に、ビニールまたは防水加工を施した布でカバーされたゴム製バンド（以下ゴムという）の輪をくぐらせ、同様に手首部（図１のＢ部，図２の２Ｂ部）にもゴムの輪をくぐらせる。これは、ゴム手袋を掌部（図１，図２のＨ部）に固定させる作用をもたらす。さらに、この二つの部分（図１のＡ−Ｂ部，図２の２Ａ−２Ｂ部）をゴムでつなぎ合わせることで手首を折り曲げたとき、手首部（図１，図２の２Ｂ部）に固定されたゴムが、指部（図１のＡ部，図２の２Ａ部）に固定されたゴムを適度に引っ張るため、ズレを防止する作用がある。
また、ゴムの収縮性が使用者の掌のサイズに合ったフィット感をもたらす。
【発明の効果】
【０００５】  従来のゴム手袋は、着用時にぶかぶかとしていて、これを気にしながらの作業は、不快で疲労感もあり、また作業効率も悪かった。
しかしながら本発明は、厚手、薄手、大きめ、小さめ、使い捨てビニールなど、どんなタイプの手袋にも装着可能なので、今までその使いにくさから、素手で作業していたものも、簡単なゴムバンドひとつで解決することができる。
したがって、さまざまな水仕事、園芸など、ゴム手袋の用途が広がる。
また、このゴムバンドは、手入れが簡単で、使用後は洗って干しておけば何度でも使用できる。
【発明を実施するための最良の形態】
【０００６】  防水のため、ゴムバンドを、ビニールまたは防水加工を施した布でカバーする（図４）。
あるいは表面のみに防水加工を施した布を縫い付ける（図５）。
【図面の簡単な説明】
【０００７】
【図１】  図１は、中指に締めつけ機能を有したゴムバンドを、装着したときの図である。
【図２】  図２は、指全部に締めつけ機能を有したゴムバンドを、装着したときの図である。
【図３】  図３は、図１のゴムバンドを、はずしたときの図である。
【図４】  図４は、ゴムバンドとカバーを斜め横から見たときの図である。
【図５】  図５は、ゴムバンドとそのカバーである。
【符号の説明】
【０００８】  Ａ部は、ゴムバンドの中指付け根部である。
Ｂ部は、ゴムバンドの手首部である。
Ｃ部は、ゴムバンドのつなぎ目部である。
２Ａ部は、ゴムバンドの指全部付け根部である。
２Ｂ部は、ゴムバンドの手首部である。
２Ｃ部は、ゴムバンドのつなぎ目部である。
Ｈ部は、ゴム手袋の掌部である。
【図１】
2005060913.tif 000003
【図２】
2005060913.tif 000004
【図３】
2005060913.tif 000005
【図４】
2005060913.tif 000006
【図５】
2005060913.tif 000007
(57)【要約】【課題】  炊事などに用いるゴム手袋は、手荒れをおこしやすく、着脱も不便だった。【解決手段】  天然素材の綿、絹の裏地をつける。【選択図】図１
2005060915.tif 000002
【特許請求の範囲】
【請求項１】
内側に天然素材の裏地をつけたことを特徴とするゴム手袋。
【請求項２】
内側に裏地をつけ、この裏地は天然素材であることを特徴とする請求項１記載のゴム手袋。
【発明の詳細な説明】
【発明の詳細な説明】
【技術分野】
【０００１】  この発明は、台所用炊事に用いるゴム手袋の形状に関する。
【背景技術】
【０００２】  従来のゴム手袋の形状は、図２に示すようにゴムによってのみ作られたものである。
【発明が解決しようとする課題】
【０００３】  しかしながら、以上の従来技術によれば、手が荒れやすく、主婦には不評だった。
そこで、この発明は、天然素材の裏地のついたゴム手袋を提供することを課題とする。
【課題を解決するための手段】
【０００４】  以上の課題を解決するために、請求項１の発明は、裏地をつけたことを特徴とするゴム手袋である。
【発明を実施するための最良の形態】
【０００５】  この発明の一実施形態を、図１に示す。
ゴム手袋の表は、天然ゴム製であり、この手袋の裏面には、天然素材綿或は絹の裏地が設けられている。
「実施形態の効果」【０００６】  この実施形態によれば、綿絹の働きで手荒れをおこしにくい。したがって、炊事などの家事がしやすい。
【発明の効果】
【０００８】  以上説明したように、この発明によれば、天然素材の綿や絹をつけたために手荒れをおこしにくい。
【図面の簡単な説明】
【図１】  この発明の一実施形態を示す斜視図である。
【図２】  従来技術を示す斜視図である。
【符号の説明】
１  ゴム
２  裏地
３  従来の手袋の裏
【図１】
2005060915.tif 000003
【図２】
2005060915.tif 000004
(57)【要約】【課題】この発明は、特殊な布素材を使用し内部に気体を充填したジャケットである。【解決手段】特殊な布素材でジャケットを作り内部に気体を充填したジャケットである。【選択図】  図１
2005060916.tif 000002
【特許請求の範囲】
【請求項１】
特殊な布素材を加工しジャケット状にしたものに気体を入れる。
【発明の詳細な説明】
【発明の詳細な説明】
この発明は、特殊な布素材を加工し気体を充填したジャケットに関するものである。
従来のジャケットは、内部に羽毛を充填していたが、そのかわりに、気体を充填してジャケットとして使用し、必要のない時は気体を抜いて、畳んでおけばコンパクトになり収納できる。
また、ゴムなどの素材をジャケットの一部に使用することにより、ジャケットが破裂するのを防ぐことができる。
【図面の簡単な説明】
【図１】  本発明の全体図である。
【符号の説明】
１，ファスナー加工部
２，表面又裏面は、特殊な布素材
３，内部は、気体を充填
４，気体吹き入れ，抜き口
５，ゴム素材
【図１】
2005060916.tif 000003
(57)【要約】【課題】  ショーツ内側のゴム引き防水布面にクリームを塗布することで滑り感を出し、乗馬、二輪車、バイク等の運動時に起こる摩擦から肌を保護する機能を持たせた、女性用スポーツ保護ショーツを提供する。【解決手段】  ショーツ（１）の内側、股から尻上部にかけてソフトな中芯（２）を敷き、その上にゴム引き防水布（３）を重ねたことを特徴とする。【選択図】  図２2005060917.tif 000003
2005060917.tif 000002
【特許請求の範囲】
【請求項１】
ショーツ（１）の内側、股から尻上部にかけてソフトな中芯（２）を敷き、その上にゴム引き防水布（３）を重ねた女性用スポーツ保護ショーツ。
【発明の詳細な説明】
【発明の詳細な説明】
【技術分野】
【０００１】  この発明は、ショーツ内側のゴ厶引き防水布にクリームを塗布することで滑り感を出し、乗馬、二輪車、バイク等などの運動時に起こる摩擦から肌を保護する機能を持たせた、女性用スポーツ保護ショーツに関するものである。
【背景技術】
【０００２】  従来、乗馬を例にとると、肌に当たる部分が皮素材でできた生理用ナプキンタイプのパッド、あるいは股部分に厚みを持たせた綿素材のショーツタイプのものが市販されている。なお、皮素材のパッドは滑り感を出すためクリームを塗布して使用する。
また、一般の生理用ナプキンにクリームを塗布し摩擦に対応しているケースも多い。
【発明が解決しようとする課題】
【０００３】  従来の商品には次のような欠点があった。
（イ）皮製パッド
両面テープで下着に固定して使用するが、上下運動や前後運動などの激しい動きで定位置からズレやすい。
価格も１万円と高額である。また、天然皮革素材は、洗濯を重ねるごとに当初のソフトさが失われる難点がある。
（ロ）ショーツタイプ
ショーツ全体がコットン素材でできているため、ショーツと肌の間に摩擦が生じやすく、炎症を起こす原因となる。また、使用時にクリームを塗布しても、クリームが生地に吸収されてしまい滑りの効果が得られない。
さらに、クッション部分が厚いため、騎座の感触がつかめないなどの難点がある。
（ハ）生理用ナプキン
皮製パッド同様、上下運動や前後運動などの激しい運動でズレやすい。また、繊維が切れてボロボロになりやすい。
使用時にクリームを塗布するが、時間の経過とともにクリームが繊維に吸収され、表面の滑り感がなくなる。
本発明は、これらの欠点を解決するためになされたものである。
【課題を解決するための手段】
【０００４】  ショーツ（１）の内側、股から尻上部にかけてソフトな中芯（２）を敷く。そして、中芯に重ねて直接肌が当たる面にゴム引き防水布（３）を張る。
【発明を実施するための最良の形態】
【０００５】  以下、本発明の実施の形態について説明する。
（イ）動きの多い運動に対応させるため、ショーツ（１）には伸縮性の高い素材を用い、着用時のフィット感を出す。ショーツ内側には、適度なクッション性を持たせるためソフトな中芯（２）を敷き、ショーツと合わせてステッチをかける。
（ロ）中芯（２）に重ねてごく薄めのゴム引き防水布（３）を肌の当たる面に張る。なお、中芯およびゴム引き防水布の適応範囲は、サドルなど使用器具のサイズも考慮に入れ、摩擦を受けやすい股から尻上部にわたる広い部分とした。
本発明は以上のような構造でこれを使用するときは、滑り感を出すためゴム引き防水布面に、馬油のようなクリームを適量塗布する。
【発明の効果】
【０００６】  ショーツ本体に伸縮性の高い素材を使用しているので身体にしっかりフィットし、激しい運動でもズレることがない。また、中芯が薄めなのでショーツのラインが表にひびかない。
使用時に、ゴム引き防水布面にクリームを塗布するが、素材の持つ防水効果によってクリー厶が吸収されることなく、滑り感が運動の最後まで持続する。また、ゴム引き防水布が股から尻の上部にわたる広い部分をカバーしているので、後部の高いサドルとの摩擦も防ぐことができる。したがって、デリケートな身体部分を刺激から守り、皮膚炎症などの発生を抑える。
また、天然皮革のように洗濯によって素材が硬くなることがないので、いつまでもソフトな着用感を味わえる。
【図面の簡単な説明】
【図１】  本発明の前面図
【図２】  本発明の斜視図
【符号の説明】
（１）ショーツ
（２）中芯
（３）ゴム引き防水布
【図１】
2005060917.tif 000004
【図２】
2005060917.tif 000005
(57)【要約】【課題】廃棄発泡スチロールの減容処理工程で、エーテル系溶剤を用い廃棄発泡スチロールをエーテル系溶剤と化学反応をおこさせ脱泡・収縮・浮遊する性質を持つポリスチレンゲルに変成させ見掛容積を１／５０位の割合で減容させ、エーテル系溶剤の中に浮いたポリスチレンゲルを回収していた。しかし、回収されたポリスチレンゲルの中に減容処理された廃棄発泡スチロールに対し重量比で１６０％以上のエーテル系溶剤がポリスチレンゲルの中に含まれ多量のエーテル系溶剤を消費し経済的でないという欠点があった。【解決手段】廃棄発泡スチロールの減容処理工程でエーテル系溶剤の中に浮いたポリスチレンゲルを回収する前にポリスチレンゲル絞り装置を設ける事によりエーテル系溶剤の消費量を約４０％節約する事を実現した。【選択図】図１
2005060646.tif 000002
【特許請求の範囲】
【請求項１】
廃棄発泡スチロール減容処理機に措ける羽根付き回転式ゲル掻揚げ機能を持った生成ポリスチレンゲル絞り搬送装置。
【発明の詳細な説明】
【発明の詳細な説明】
【技術分野】
【０００１】      本発明は廃棄発泡スチロール減容処理機に措ける生成ポリスチレンゲル絞り搬送装置に関するものである。
【背景技術】
【０００２】  廃棄発泡スチロールの減容処理工程で、エーテル系溶剤を用い廃棄発泡スチロールをエーテル系溶剤と化学反応をおこさせ脱泡・収縮・浮遊する性質を持つポリスチレンゲルに変成させ見掛容積を１／５０位の割合で減容させ、エーテル系溶剤の中に浮いたポリスチレンゲルをそのまま回収していた。【０００３】  しかし、回収されたポリスチレンゲルの中に減容処理された廃棄発泡スチロールに対し重量比で１６０％以上のエーテル系溶剤がポリスチレンゲルの中に含まれ多量のエーテル系溶剤が消費されるという欠点があった。
【発明が解決しようとする課題】
【０００４】  解決しようとする問題点は、ポリスチレンゲルの中に含まれている１６０％以上のエーテル系溶剤の含有比率を４０％位下げ消費されるエーテル系溶剤の量を節約する点である。
【課題を解决するための手段】
【０００５】  本発明は、廃棄発泡スチロールの減容処理工程でエーテル系溶剤の中に浮いたポリスチレンゲルを回収する前工程にポリスチレンゲル絞り装置を設けエーテル系溶剤の消費量を節約する事を実現した。
【発明を実施するための最良の形態】
【０００６】  以下本発明のポリスチレンゲル絞り装置について説明する。破砕機によって５ｃｍ四方位に破砕されエーテル系溶剤と接触し易くなった廃棄発泡スチロールは予め容器に充填されていたエーテル系溶剤と回転式絞り機により溶剤と攪拌され化学反応によりポリスチレンゲルが生成され溶剤の上に浮遊する。その浮遊したポリスチレンゲルは回転式絞り機羽根により容器内壁に押し付け巻上げられ、回転式絞り機中部に設けられたゲル出口に押し出され回収される。その羽根付き回転式絞り機により巻上げられ絞り機ドラ厶に設けられた羽根により容器内壁に押し付け巻上げられ羽根付き回転式絞り機中部に設けられた出口に押出される間にポリスチレンゲルの中に過量に浸漬含有していたエーテル系溶剤は一緒に含有しているポリスチレンより物質密度が高い為ポリスチレンゲルから離脱落下し残された溶剤含有比率の低いポリスチレンゲルのみ羽根付き回転式絞り機中部に設けられた器に収納され回収される。
【発明の効果】
以上説明したように回収されたポリスチレンゲルの中に減容処理された廃棄発泡スチロールに対し重量比で１６０％以上のエーテル系溶剤がポリスチレンゲルの中に含まれ多量のエーテル系溶剤が消費されるという欠点を解決する為その浮遊したポリスチレンゲルを羽根付き回転式絞り機により押し付け巻上げを行ない、羽根付き回転式絞り機中部に設けられた出口より押し出され回収される。その羽根付き回転式絞り機により巻上げられ容器内壁に押し付けられ中部に設けられた出口より押し出され回収される間にポリスチレンゲルの中に過量に浸漬含有していたエーテル系溶剤は一緒に含有しているポリスチレンより物質密度が高い為ポリスチレンゲルから離脱落下し残された溶剤含有比率の低いポリスチレンゲルのみ羽根付き回転式絞り機中部に設けられた出口より押し出され回収される。羽根付き回転式絞り機により絞り処理されたポリスチレンゲルはポリスチレンゲルの中に含まれているエーテル系溶剤の含有比率を４０％位下げ消費されるエーテル系溶剤の量を節約する事を実現した。
【図面の簡単な説明】
【図１】ポリスチレンゲル絞り装置の実施方法を示した側面図である。６のエーテル系溶剤の液上部に浮遊した５のポリスチレンゲルは２のゆっくり回転しているゲル掻揚げ羽根により３のゲル掻揚げ羽根支え回転ドラム回転部分中部まで持ち上げられると同時に容器内壁に押し付けられその間にポリスチレンゲルからエーテル系溶剤が離脱落下し含有エーテル系溶剤の少ないゲルのみが４の絞り済みポリスチレンゲル出口に押し出され収納される。
【図２】ポリスチレンゲル絞り装置の実施方法を示した正面図である。
【符号の説明】
（１）発泡スチロール破砕機  （２）ゲル掻揚げ羽根  （３）ゲル掻揚げ羽根支え回転ドラム  （４）絞り済みポリスチレンゲル出口  （５）浮遊ポリスチレンゲル  （６）エーテル系溶剤
【図１】
2005060646.tif 000003
【図２】
2005060646.tif 000004